(57)【要約】  被写体の定量的な情報を取得する。被写体に励起光および白色光を照射する光源（１０）と、励起光の照射により被写体において発生した蛍光を撮影し蛍光画像を取得したり、白色光の照射により被写体から戻る戻り光を撮影し白色光画像を取得したりする画像生成部（４１）と、画像生成部（４１）により取得された白色光画像を用いて蛍光画像を補正し補正蛍光画像を生成する画像補正部（４３）と、画像補正部（４３）により生成された補正蛍光画像における画素ごとの階調値の平均値に基づいて閾値を設定する閾値設定部（４５）と、閾値設定部（４５）により設定された閾値より大きい階調値を有する領域と閾値より小さい階調値を有する領域との補正蛍光画像におけるコントラストを拡大する画像調整部（５１）と、画像調整部（５１）によりコントラストが拡大された補正蛍光画像を表示するモニタ（５０）とを備える蛍光内視鏡装置（１００）を提供する。
2011111619.tif 000002
【特許請求の範囲】
【請求項１】
被写体に励起光および参照光を照射する光源と、
該光源からの前記励起光の照射により前記被写体において発生した蛍光を撮影し蛍光画像を取得する蛍光画像取得部と、
前記光源からの前記参照光の照射により前記被写体から戻る戻り光を撮影し参照画像を取得する参照画像取得部と、
該参照画像取得部により取得された前記参照画像を用いて前記蛍光画像取得部により取得された前記蛍光画像を補正し補正蛍光画像を生成する補正蛍光画像生成部と、
該補正蛍光画像生成部により生成された前記補正蛍光画像における画素ごとの階調値の平均値に基づいて閾値を設定する閾値設定部と、
該閾値設定部により設定された前記閾値より大きい階調値を有する領域と前記閾値より小さい階調値を有する領域との前記補正蛍光画像におけるコントラストを拡大する画像調整部と、
該画像調整部により前記コントラストが拡大された前記補正蛍光画像を表示する表示部とを備える蛍光内視鏡装置。
【請求項２】
前記参照画像取得部が、前記被写体において反射または散乱されて戻る前記参照光の反射光または散乱光を取得する請求項１に記載の蛍光内視鏡装置。
【請求項３】
前記光源が、さらに白色光を照射し、
前記画像調整部が、前記閾値より小さい階調値を有する領域を非表示としたバックグラウンド除去画像を生成し、
前記白色光の照射により得られる前記被検体の白色光画像を取得する白色光画像取得部と、該白色光画像取得部により取得された白色光画像と前記画像調整部により生成されたバックグラウンド除去画像とを重畳した合成画像を生成する画像合成部とを備え、
前記表示部が、前記画像合成部により生成された合成画像を表示する請求項１に記載の蛍光内視鏡装置。
【請求項４】
前記光源が、前記参照光として白色光を照射し、
前記参照画像取得部が、前記参照画像として被写体から戻る白色光画像を取得し、
前記画像調整部が、前記閾値より小さい階調値を有する領域を非表示としたバックグラウンド除去画像を生成し、
前記参照画像取得部により取得された前記被検体の白色光画像と前記画像調整部により生成されたバックグラウンド除去画像とを重畳した合成画像を生成する画像合成部を備え、
前記表示部が、前記画像合成部により生成された合成画像を表示する請求項１に記載の蛍光内視鏡装置。
【請求項５】
前記補正蛍光画像生成部が、前記蛍光画像を前記参照画像で除算する請求項１に記載の蛍光内視鏡装置。
【請求項６】
前記閾値設定部が、前記補正蛍光画像における所定の階調値以上の領域の占める割合が増加するごとに減少するように設定された係数を前記階調値の平均値に乗算して得られる値を前記閾値として設定する請求項１または請求項５に記載の蛍光内視鏡装置。
【請求項７】
前記閾値設定部が、前記階調値の平均値と標準偏差とに基づいて前記閾値を設定する請求項１または請求項５に記載の蛍光内視鏡装置。
【請求項８】
前記閾値設定部が、前記階調値の平均値に前記標準偏差を加えて得られる値を前記閾値として設定する請求項７に記載の蛍光内視鏡装置。
【請求項９】
前記閾値設定部が、前記補正蛍光画像における所定の階調値以上の領域の占める割合が増加するごとに減少するように設定された係数を前記階調値の平均値に乗じた値に前記標準偏差を加えて得られる値を前記閾値として設定する請求項７に記載の蛍光内視鏡装置。
【請求項１０】
前記閾値設定部が、前記補正蛍光画像における所定の階調値以上の領域の占める割合が増加するごとに減少するように設定された係数を前記標準偏差に乗じた値に前記階調値の平均値を加えて得られる値を前記閾値として設定する請求項７に記載の蛍光内視鏡装置。
【請求項１１】
前記閾値設定部が、前記補正蛍光画像における所定の階調値以上の領域の占める割合が増加するごとに減少するように設定された第１の係数を前記階調値の平均値に乗じた値に、前記補正蛍光画像における所定の階調値以上の領域が占める割合が増加するごとに減少するように設定された第２の係数を前記標準偏差に乗じた値を加えて得られる値を前記閾値として設定する請求項７に記載の蛍光内視鏡装置。
【発明の詳細な説明】
【技術分野】
【０００１】
本発明は、蛍光内視鏡装置に関するものである。
【背景技術】
【０００２】
従来、癌細胞等の病変部に特異的に集積する蛍光薬剤を投与した観察対象部位に対し、蛍光薬剤を励起して蛍光を発生させる励起光を照射し、発生した蛍光を撮影することにより病変部における輝度が高い蛍光画像を得ることができる蛍光内視鏡装置が知られている（例えば、特許文献１参照）。特許文献１に記載の蛍光内視鏡装置は、励起光を照射した観察対象部位において発生する蛍光の強度に基づく蛍光画像を、参照光を照射した同一の観察対象部位から戻る戻り光の強度に基づく参照画像で除算することにより、蛍光画像における観察距離や観察角度等に依存する蛍光強度変化を補正することとしている。
【先行技術文献】
【特許文献】
【０００３】
【特許文献１】特開２００６−１７５０５２号公報
【発明の概要】
【発明が解決しようとする課題】
【０００４】
しかしながら、蛍光薬剤は実際には病変部だけでなく正常部にも若干集積し、病変部からの蛍光よりは弱いもののバックグラウンドからも微弱な蛍光が発生する。また、蛍光と反射光とでは観察距離や観察角度に対する依存性が異なるため、特許文献１に記載の蛍光内視鏡装置のように蛍光画像を参照画像によって除算しても、観察距離や観察角度の影響を完全に補正することができず一定の誤差が生じてしまう。その結果、階調値の閾値を設定して病変部と正常部とを区別したとしても、観察条件が変化すると閾値の適正が失われて病変部が表示されなくなったりバックグラウンドからの蛍光が明るく表示されたりしてしまい、生体試料の定量的な情報を得ることができないという不都合が生じる。【０００５】
本発明は、このような事情に鑑みてなされたものであって、被写体の定量的な情報を取得することができる蛍光内視鏡装置を提供することを目的とする。
【課題を解決するための手段】
【０００６】
上記課題を解決するために、本発明は以下の手段を採用する。
本発明の一態様は、被写体に励起光および参照光を照射する光源と、該光源からの前記励起光の照射により前記被写体において発生した蛍光を撮影し蛍光画像を取得する蛍光画像取得部と、前記光源からの前記参照光の照射により前記被写体から戻る戻り光を撮影し参照画像を取得する参照画像取得部と、該参照画像取得部により取得された前記参照画像を用いて前記蛍光画像取得部により取得された前記蛍光画像を補正し補正蛍光画像を生成する補正蛍光画像生成部と、該補正蛍光画像生成部により生成された前記補正蛍光画像における画素ごとの階調値の平均値に基づいて閾値を設定する閾値設定部と、該閾値設定部により設定された前記閾値より大きい階調値を有する領域と前記閾値より小さい階調値を有する領域との前記補正蛍光画像におけるコントラストを拡大する画像調整部と、該画像調整部により前記コントラストが拡大された前記補正蛍光画像を表示する表示部とを備える蛍光内視鏡装置を提供する。【０００７】
本発明の一態様によれば、光源から発せられた励起光が被写体に照射されると、蛍光画像取得部により被写体において発生した蛍光の蛍光画像が取得され、光源から励起光とともに発せられた参照光が被写体に照射されると、参照画像取得部によりその戻り光の参照画像が取得される。そして、補正蛍光画像生成部において、同一の被写体に対する蛍光画像が参照画像で補正されることにより、観察距離や観察角度に依存する蛍光強度変化を軽減した補正蛍光画像が生成される。【０００８】
ここで、観察距離や観察角度に対する参照光と励起光との依存性が異なることにより、観察距離や観察角度の影響を補正しきれず補正蛍光画像に一定の誤差が生じてしまう場合がある。この場合において、画像調整部によって階調値が閾値より大きい領域と小さい領域とのコントラストが拡大された補正蛍光画像を表示部により表示することで、バックグラウンドから発生される微弱な蛍光の影響を抑制した鮮明な補正蛍光画像を取得することができる。【０００９】
また、観察距離等が変動して誤差要因により補正蛍光画像における画素ごとの階調値が変動したとしても、閾値設定部により階調値の変動に追従して閾値を更新し、画像調整部により補正蛍光画像の鮮明度を維持することができる。これにより、被写体の定量的な情報を取得することができる。【００１０】
上記発明においては、前記補正蛍光画像生成部が、前記蛍光画像を前記参照画像で除算することとしてもよい。
このように構成することで、簡易な演算処理により定量性の高い補正蛍光画像を生成することができる。【００１１】
また、上記発明においては、前記閾値設定部が、前記補正蛍光画像における所定の階調値以上の領域の占める割合が増加するごとに減少するように設定された係数を前記階調値の平均値に乗算して得られる値を前記閾値として設定することとしてもよい。【００１２】
このように構成することで、補正蛍光画像中に占める階調値が高い画素の領域の割合に基づいて、閾値の最高値および最低値を制限することができる。例えば、画像内での所定の階調値以上の領域が占める割合が増加すると、つまり、病変部の占める領域が増加すると画面全体の階調値の平均値が増加するので、このような場合に閾値設定部により設定される閾値が高くなりすぎるのを防止することができる。【００１３】
これにより、階調値が高い領域が補正蛍光画像の広範囲を占めることにより階調値の平均値が増大する場合であっても閾値が高くなりすぎるのを防ぎ、階調値が高い領域の表示が抑制されてしまうのを防止することができる。一方、階調値が低い領域が補正蛍光画像の広範囲を占めることにより階調値の平均値が減少する場合であっても閾値が低くなりすぎるのを防ぎ、バックグラウンドからの蛍光が強調されてしまうのを防止することができる。【００１４】
上記発明においては、前記閾値設定部が、前記階調値の平均値と標準偏差とに基づいて前記閾値を設定することとしてもよい。
この場合、前記閾値設定部が、前記階調値の平均値に前記標準偏差を加えて得られる値を前記閾値として設定することとしてもよい。【００１５】
このように構成することで、補正蛍光画像における画素ごとの階調値にばらつきがある場合であっても、階調値の平均値だけに基づいて閾値を設定する場合と比較してより精度が高い閾値を設定することができる。【００１６】
上記発明においては、前記閾値設定部が、前記補正蛍光画像における所定の階調値以上の領域の占める割合が増加するごとに減少するように設定された係数を前記階調値の平均値に乗じた値に前記標準偏差を加えて得られる値を前記閾値として設定することとしてもよい。【００１７】
このように構成することで、画面全体の階調値の平均値が増加または減少した場合であっても閾値が高くなりすぎたりまたは低くなりすぎたりするのを防止するとともに、画素ごとの階調値にばらつきがある場合であっても精度が高い閾値を設定することができる。【００１８】
上記発明においては、前記閾値設定部が、前記補正蛍光画像における所定の階調値以上の領域の占める割合が増加するごとに減少するように設定された係数を前記標準偏差に乗じた値に前記階調値の平均値を加えて得られる値を前記閾値として設定することとしてもよい。【００１９】
このように構成することで、画像内での所定の階調値以上の領域が占める割合が増加することにより、つまり、病変部の占める領域が増加することにより画面全体の標準偏差が増加する場合であっても、閾値設定部により設定される閾値が高くなりすぎるのを防止することができる。【００２０】
上記発明においては、前記閾値設定部が、前記補正蛍光画像における所定の階調値以上の領域の占める割合が増加するごとに減少するように設定された第１の係数を前記階調値の平均値に乗じた値に、前記補正蛍光画像における所定の階調値以上の領域が占める割合が増加するごとに減少するように設定された第２の係数を前記標準偏差に乗じた値を加えて得られる値を前記閾値として設定することとしてもよい。【００２１】
このように構成することで、画像内での所定の階調値以上の領域が占める割合が増加することにより、つまり、病変部の占める領域が増加することにより画面全体の平均値および標準偏差が増加する場合であっても、閾値設定部により設定される閾値が高くなりすぎるのを防止することができる。
【発明の効果】
【００２２】
本発明によれば、被写体の定量的な情報を取得することができるという効果を奏する。
【図面の簡単な説明】
【００２３】
【図１】本発明の一実施形態に係る蛍光内視鏡装置の概略構成図である。
【図２Ａ】図１のモニタに表示される白色光画像と補正蛍光画像の一例を示す図である。
【図２Ｂ】図２Ａの補正蛍光画像における画素の階調値と画像全体に占める頻度との関係を示すヒストグラムである。
【図３】図１の蛍光内視鏡装置の作用を示すフローチャートである。
【図４Ａ】モニタに表示される白色光画像と新たな補正蛍光画像の一例を示す図である。
【図４Ｂ】図４Ａの補正蛍光画像における画素の階調値と画像全体に占める頻度との関係を示すヒストグラムである。
【図５Ａ】階調値の変動後の補正蛍光画像における画素の階調値と画像全体に占める頻度との関係を示すヒストグラムである。
【図５Ｂ】図５Ａの補正蛍光画像の一例を示した図である。
【図６Ａ】画像調整後の補正蛍光画像における画素の階調値と画像全体に占める頻度との関係を示すヒストグラムである。
【図６Ｂ】図６Ａの補正蛍光画像の一例を示した図である。
【図７】本発明の一実施形態の第１の変形例に係る蛍光内視鏡装置の作用を示すフローチャートである。
【図８】本発明の一実施形態の第２の変形例に係る蛍光内視鏡装置の作用を示すフローチャートである。
【図９】本発明の一実施形態の第３の変形例に係る蛍光内視鏡装置の概略構成図である。
【図１０】図９の蛍光内視鏡装置の作用を示すフローチャートである。
【図１１】本発明の一実施形態の第４の変形例に係る蛍光内視鏡装置の作用を示すフローチャートである。
【図１２】本発明の一実施形態の第５の変形例に係る蛍光内視鏡装置の作用を示すフローチャートである。
【図１３】本発明の一実施形態の第６の変形例に係る蛍光内視鏡装置のモニタに表示される係数ａ，ｂの選択肢の一例を示した図である。
【図１４】スコープに設けられた係数切り替え部を示す図である。
【図１５】本発明の一実施形態の第７の変形例に係る蛍光内視鏡装置の概略構成図である。
【図１６】本発明の一実施形態の第８の変形例に係る蛍光内視鏡装置の概略構成図である。
【図１７】本発明の一実施形態の第９の変形例に係る蛍光内視鏡装置の概略構成図である。
【発明を実施するための形態】
【００２４】
以下、本発明の一実施形態に係る蛍光内視鏡装置について、図面を参照して説明する。
本実施形態に係る蛍光内視鏡装置１００は、図１に示すように、体腔内に挿入される細長いスコープ２と、スコープ２の先端２ａから射出させる照明光を発する光源１０を備える照明ユニット２０と、スコープ２内に配置され、被写体である観察対象部位Ｘの画像情報を取得する撮影ユニット３０と、撮影ユニット３０により取得された画像情報を処理する画像処理部４０と、画像処理部４０により処理された画像および画像情報等を表示するモニタ（表示部）５０とを備えている。
【００２５】
光源１０は、照明光を発するキセノンランプ（Ｘｅランプ）１１と、キセノンランプ１１から発せられた照明光から励起光を含む白色光（参照光）を切り出す励起光フィルタ１３と、励起光フィルタ１３により切り出された励起光を含む白色光を集光するカップリングレンズ１５とを備えている。励起光フィルタ１３は、例えば、波長帯域が４００〜７４０ｎｍの励起光を含む白色光を切り出すようになっている。
【００２６】
照明ユニット２０には、スコープ２の長手方向の略全長にわたって配置されたライトガイドファイバ２１と、スコープ２の先端２ａに配置された拡散レンズ２３とが備えられている。
ライトガイドファイバ２１は、カップリングレンズ１５によって集光された励起光を含む白色光をスコープ２の先端２ａまで導光するものである。拡散レンズ２３は、ライトガイドファイバ２１により導光された励起光を含む白色光を拡散させて観察対象部位Ｘに照射するようになっている。
【００２７】
撮影ユニット３０は、照明ユニット２０により励起光を含む白色光が照射された観察対象部位Ｘから戻る戻り光を集光する対物レンズ３１と、対物レンズ３１により集光された戻り光を波長ごとに分岐するビームスプリッタ３３とを備えている。
対物レンズ３１は、スコープ２の先端２ａに拡散レンズ２３と並列して配置されている。ビームスプリッタ３３は、戻り光のうち、励起波長以上の光（励起光および蛍光）を反射し、励起波長より波長が短い白色光（戻り光）を透過するようになっている。
【００２８】
この撮影ユニット３０には、ビームスプリッタ３３により反射された励起光および蛍光のうち、励起光を遮断して蛍光（例えば、近赤外蛍光）のみを透過させる励起光カットフィルタ３５と、励起光カットフィルタ３５を透過した蛍光を集光する集光レンズ３７Ａおよびビームスプリッタ３３を透過した白色光を集光する集光レンズ３７Ｂと、集光レンズ３７Ａにより集光された蛍光を撮影する蛍光撮影部３８および集光レンズ３７Ｂにより集光された白色光を撮影する白色光撮影部３９とを備えている。
【００２９】
励起光カットフィルタ３５は、例えば、波長帯域が７６５〜８５０ｎｍの蛍光のみを透過させるようになっている。蛍光撮影部３８は、例えば、蛍光用の高感度モノクロＣＣＤである。この蛍光撮影部３８は、蛍光を撮影することにより蛍光画像情報を取得するようになっている。白色光撮影部３９は、例えば、白色光用のカラーＣＣＤであり、モザイクフィルタ（図示略）を備えている。この白色光撮影部３９は、白色光を撮影することにより白色光画像情報を取得するようになっている。
【００３０】
画像処理部４０は、蛍光画像および白色光画像（参照画像）を生成する画像生成部（蛍光画像取得部，参照画像取得部）４１と、画像生成部４１により生成された蛍光画像を白色光画像により補正する画像補正部（補正蛍光画像生成部）４３と、画像補正部４３により生成された補正蛍光画像における階調値の閾値を設定する閾値設定部４５とを備えている。
【００３１】
画像生成部４１は、蛍光撮影部３８により取得された蛍光画像情報から２次元的な蛍光画像を生成し、また、白色光撮影部３９により取得された白色光画像情報から２次元的な白色光画像を生成するようになっている。
【００３２】
画像補正部４３は、同一の観察対象部位Ｘの蛍光画像を白色光画像で除算することにより蛍光画像を補正するようになっている。これにより、蛍光画像における観察距離や観察角度等に依存する蛍光強度変化を軽減した補正蛍光画像が生成される。また、画像補正部４３は、白色光画像および生成した補正蛍光画像をモニタ５０に出力するようになっている。
【００３３】
閾値設定部４５は、以下の計算式（１）に示されるように、補正蛍光画像における各画素の階調値の平均値（画像全体の平均階調値）ｍに所定の係数ａを乗算して得られる値を閾値として設定するようになっている。
【００３４】
【数１】
2011111619.tif 000003
【００３５】
モニタ５０は、画像補正部４３から送られてくる白色光画像および補正蛍光画像を同時に表示することができるようになっている。また、モニタ５０は、補正蛍光画像における階調値を調整する画像調整部５１を備えている。
【００３６】
画像調整部５１は、閾値設定部４５により設定された閾値Ｓより大きい階調値を有する画素の領域と小さい階調値を有する画素の領域との補正蛍光画像におけるコントラストを拡大するように、閾値Ｓ未満の階調値を有する画素を階調値０に置き換えて表示するようになっている。
【００３７】
このように構成された本実施形態に係る蛍光内視鏡装置１００の作用について説明する。
本実施形態に係る蛍光内視鏡装置１００を用いて、生体の体腔内の観察対象部位Ｘを観察するには、癌細胞等の病変部に特異的に集積する蛍光薬剤を観察対象部位Ｘに付着または吸収させる。この状態で、観察対象部位Ｘに励起光を照射することにより、蛍光薬剤が励起され蛍光が発せられる。この蛍光薬剤は、実際には病変部だけでなく正常部にも若干集積してしまうため、病変部以外の部分（バックグラウンド）からも微弱な蛍光が発せられることになる。
【００３８】
本実施形態においては、まず、体腔内にスコープ２を挿入して先端２ａを観察対象部位Ｘに対向させる。この状態で、光源１０を作動させることによりキセノンランプ１１から発せられて励起光フィルタ１３によって切り出される励起光を含む白色光が、カップリングレンズ１５により集光され、ライトガイドファイバ２１によりスコープ２の先端２ａへと導光される。そして、この白色光は拡散レンズ２３により拡散され、観察対象部位Ｘに照射される。
【００３９】
観察対象部位Ｘにおいては、内部に含まれている蛍光物質が励起光によって励起されることにより蛍光が発せられるとともに、表面において白色光および励起光の一部が反射させられる。これら蛍光、白色光および励起光は、対物レンズ３１により集光され、ビームスプリッタ３３により励起波長以上の光、すなわち、励起光および蛍光が反射され、励起波長より波長が短い白色光は透過させられる。
【００４０】
ビームスプリッタ３３により反射された励起光および蛍光は、励起光カットフィルタ３５により励起光が除去され、蛍光のみが集光レンズ３７Ａにより集光されて蛍光撮影部３８により撮影される。これにより、蛍光撮影部３８において観察対象部位Ｘの蛍光画像情報が取得される。ビームスプリッタ３３を透過した白色光は、集光レンズ３７Ｂによって集光され、白色光撮影部３９により撮影される。これにより、白色光撮影部３９において観察対象部位Ｘの白色光画像情報が取得される。蛍光画像情報と白色光画像情報は、どちらを先に取得してもよいし同時に取得してもよい。
【００４１】
蛍光撮影部３８により取得された蛍光画像情報および白色光撮影部３９により取得された白色光画像情報は、それぞれ画像処理部４０の画像生成部４１に入力される。画像生成部４１においては、蛍光画像情報に基づき２次元的な蛍光画像が生成され、また、白色光画像情報に基づき２次元的な白色光画像が生成される。
【００４２】
画像生成部４１により生成された蛍光画像および白色光画像は画像補正部４３に送られる。画像補正部４３においては、蛍光画像が白色光画像で除算されることにより補正蛍光画像が生成される。生成された補正蛍光画像は、閾値設定部４５に送られるとともに、図２Ａに示すように、白色光画像と一緒にモニタ５０に送られて表示される。
【００４３】
この補正蛍光画像は、図２Ｂに示されるように、主にバックグラウンドからの微弱な蛍光が表示される領域と病変部からの強い蛍光が表示される領域とにより構成されている。同図において、横軸は階調値を示し、縦軸は補正蛍光画像全体に占める頻度を示している（図４Ｂ、図５Ａおよび図６Ａにおいて同様である。）。なお、図２Ｂに示すようなヒストグラムをモニタ５０に表示することとしてもよい。
【００４４】
ここで、蛍光と反射光とでは観察距離や観察角度に対する依存性が異なるため、補正蛍光画像において観察距離や観察角度の影響を完全に補正することができず一定の誤差が生じてしまう場合がある。
以下、観察対象部位Ｘの定量的な情報を取得するために行う閾値設定部４５による閾値の設定および画像調整部５１による補正蛍光画像の調整について、図３に示すフローチャートを参照して説明する。
【００４５】
閾値設定部４５においては、あらかじめ、上述した計算式（１）の係数ａ（例えば、ａ＝１．５）が決定される（ステップＳＡ１）。続いて、閾値設定部４５は、画像補正部４３から送られてきた補正蛍光画像を取得すると（ステップＳＡ２）、画像全体の平均階調値ｍを算出する（ステップＳＡ３）。
【００４６】
画像全体の平均階調値ｍは、例えば、以下の計算式（２）により算出される。
【００４７】
【数２】
2011111619.tif 000004
【００４８】
ここで、補正蛍光画像の全画素数を１００万画素とした場合、そのうちの９５万画素がバックグランドからの蛍光を表示し（バックグラウンドの総画素数ｎ１＝９５０，０００）、５万画素が病変部からの蛍光を表示しているものと仮定する（病変部の総画素数ｎ２＝５０，０００）。蛍光薬剤のコントラストを１：２とした場合、バックグラウンドの平均階調値ｍ１＝１０００、病変部の平均階調値ｍ２＝２０００と仮定する。
このように仮定した場合、計算式（２）により、画像全体の平均階調値ｍ＝１０５０が算出される。
【００４９】
次に、閾値設定部４５において、設定された係数ａと算出された画像全体の平均階調値ｍを用いて、計算式（１）により、閾値Ｓ＝１５７５が算出される。これにより、補正蛍光画像における階調値の閾値Ｓが設定され（ステップＳＡ４）、画像調整部５１へ送られる。
【００５０】
画像調整部５１においては、モニタ５０に表示されている補正蛍光画像の全画素のうち、閾値Ｓ＝１５７５未満の階調値を有する画素が階調値０に置き換えられる（ステップＳＡ５）。この場合、バックグラウンドを表示する画素の階調値および病変部を表示する画素の階調値の分布が正規分布に従い、標準偏差が、バックグラウンドを表示する画素の階調値および病変部を表示する画素の階調値の平均値の平方根の１０倍と仮定すると、バックグラウンドの表示の９６．５％が消去され、病変部の表示の８２．９％が残されることになる。
【００５１】
これにより、図４Ａに示すように、病変部を表示する領域とバックグラウンドを表示する領域とのコントラストが拡大した新たな補正蛍光画像がモニタ５０に表示される（ステップＳＡ６）。新たな補正蛍光画像は、図４Ｂに示されるように、閾値Ｓより階調値が高い主に病変部からの蛍光が表示される領域により構成されている。
【００５２】
次に、観察距離や観察角度が変動し、誤差要因により次フレームの補正蛍光画像における各画素の階調値の平均値が図５Ａに示すように高くなる方向に変動するとする。ここで、バックグラウンドを表示する画素の階調値と病変部を表示する画素の階調値の平均値がそれぞれ５０％増加するように変動する、すなわち、ｍ１＝１５００、ｍ２＝３０００となると仮定する。
この場合、仮に、階調値の変動後も現在の閾値を変更せずに閾値Ｓ＝１５７５のままとすると、閾値Ｓを超える階調値を有する領域の増加により、図５Ｂに示すように、病変部の表示の９９．５％が残されるもののバックグラウンドの表示の５７．７％しか消去されず、補正蛍光画像の鮮明度が低下することになる。
【００５３】
本実施形態においては、閾値設定部４５により画像全体の平均階調値ｍに基づいて閾値Ｓを設定するため、ステップＳＡ２〜ステップＳＡ６が繰り返される。
【００５４】
閾値設定部４５により、次フレームの補正蛍光画像が取得されると（ステップＳＡ２）、計算式（２）に基づき次フレームの画像全体の平均階調値ｍが算出され（ステップＳＡ３）、図６Ａに示されるように、前フレーム時の閾値Ｓ＝１５７５より大きい新たな閾値Ｓ＝２３６３が設定される（ステップＳＡ４）。
【００５５】
これにより、画像調整部５１において、補正蛍光画像における階調値が調整され（ステップＳＡ５）、図６Ｂに示されるように、バックグラウンドの表示の９８．７％が消去され、病変部の表示の８７．８％が残された新たな補正蛍光画像が表示される（ステップＳＡ６）。
このように、ステップＳＡ２〜ステップＳＡ６が繰り返され、次フレームの補正蛍光画像が生成されるとその画像全体の平均階調値ｍに基づき閾値Ｓが更新されて、階調値が調整された新たな補正蛍光画像がモニタ５０に表示される。
【００５６】
以上説明したように、本実施形態に係る蛍光内視鏡装置１００によれば、画像調整部５１により所定の閾値を基準として病変部とバックグラウンドとのコントラストが拡大するように補正蛍光画像の階調値を調整することで、バックグラウンドから発生される微弱な蛍光の影響を抑制した鮮明な補正蛍光画像を取得することができる。
【００５７】
また、本実施形態においては、被検体からの反射光および散乱戻り光により生成される白色光画像を参照画像として用いているため、蛍光をほとんど生じない領域においても、参照画像の階調値がゼロまたはゼロに近い値になることは無く、正確な補正蛍光画像を生成することができる。
【００５８】
また、閾値設定部４５により補正蛍光画像の平均階調値に基づいて閾値を設定することで、補正蛍光画像における階調値の変動に追従して閾値を更新し、取得する補正蛍光画像ごとの鮮明度を維持することができる。これにより、観察対象部位Ｘの定量的な情報を取得することができる。
本実施形態においては、係数ａ＝１．５を例示して説明したが、観察状況に応じて係数ａの値を変更すればよい。
【００５９】
本実施形態は以下のように変形することができる。
例えば、本実施形態においては、補正蛍光画像全体の平均階調値ｍに基づいて閾値を設定することとしたが、第１の変形例としては、閾値設定部４５が、以下の計算式（３）に示されるように、画像全体の平均階調値ｍと標準偏差との和に基づいて閾値Ｓを設定することとしてもよい。
【００６０】
【数３】
2011111619.tif 000005
σ：補正蛍光画像における各画素の階調値の標準偏差
【００６１】
また、本実施形態においては、白色光画像を参照画像として用いたが、たとえば、白色光画像を、ＲＧＢの３チャネルからなるＣＣＤもしくはＣＭＯＳ（白色光画像取得部）を用いて取得し、たとえば、Ｒチャネルのみを参照画像として用いるなどの方法をとってもよい。
もしくは、白色光とは別の波長帯域、たとえば赤や近赤外の光を別途参照光として照射し、白色光画像と別に参照画像を取得するという方法でもよい。いずれの場合においても、白色光画像と補正蛍光画像を同時に表示するので、白色光画像による観察を阻害することなく、さらに補正蛍光画像の情報を術者に提供することができる。
【００６２】
画像全体の標準偏差σは、以下の計算式（４）により算出することとすればよい。
【００６３】
【数４】
2011111619.tif 000006
【００６４】
ここで、バックグラウンドの標準偏差σ１および病変部の標準偏差σ２は、理想的にはそれぞれ平均階調値の平方根に近い値となるが、照明の配光分布の揺らぎや観察対象部位Ｘの表面における凹凸等の影響により、揺らぎが大きくなる。そこで、標準偏差σ１，σ２は理想的な値（平均階調値の平方根）の１０倍あると仮定し、バックグラウンドの標準偏差σ１＝３１６、病変部の標準偏差σ２＝４４７とする。
【００６５】
このように仮定した場合、図７のフローチャートに示されるように、閾値設定部４５において補正蛍光画像が取得されると（ステップＳＢ１）、計算式（２），（４）により、その画像全体の平均階調値ｍ＝１０５０、その標準偏差σ＝３９１が算出される（ステップＳＢ２）。閾値設定部４５において、算出された画像全体の平均階調値ｍと標準偏差σを用いて、計算式（３）により閾値Ｓ＝１４４１が算出されて設定される（ステップＳＢ３）。
【００６６】
画像調整部５１においては、補正蛍光画像の全画素のうち閾値Ｓ＝１４４１未満の階調値を有する画素が階調値０に置き換えられる（ステップＳＢ４）。これにより、バックグラウンドの表示の９１．８％が消去され、病変部の表示の８９．５％が残された新たな補正蛍光画像がモニタ５０に表示される（ステップＳＢ５）。
【００６７】
次に、観察距離や観察角度が変動し、誤差要因により次フレームの補正蛍光画像における各画素の階調値の平均値が高くなる方向に変動するとした場合、仮に、閾値を変更せずに閾値Ｓ＝１４４１のままとすると、階調値の変動後は病変部の表示の９８．８％が残されるもののバックグラウンドの表示の６５．２％しか消去されず、補正蛍光画像の鮮明度が低下する。
【００６８】
本変形例においては、閾値設定部４５により画像全体の平均階調値ｍと標準偏差σとの和に基づいて閾値Ｓを設定するため、ステップＳＢ１〜ステップＳＢ５が繰り返される。
例えば、各画素の階調値の平均値が３０％変動したとすると、バックグラウンドの平均階調値ｍ１＝１３００、その標準偏差σ１＝３６１、病変部の平均階調値ｍ２＝２６００、その標準偏差σ２＝５１０と仮定することができる。
【００６９】
閾値設定部４５により、次フレームの補正蛍光画像が取得されると（ステップＳＢ１）、計算式（２），（４）に基づき算出される次フレームの画像全体の平均階調値ｍ＝１３６５と標準偏差σ＝４６６により（ステップＳＢ２）、計算式（３）に基づいて新たな閾値Ｓ＝１８３１が設定される（ステップＳＢ３）。これにより、画像調整部５１により補正蛍光画像の階調値が調整され（ステップＳＢ４）、バックグラウンドの表示の９２．９％が消去されて、病変部の表示の９３．４％が残された新たな補正蛍光画像が表示される（ステップＳＢ５）。
【００７０】
以上説明したように本変形例によれば、画像全体の平均階調値ｍと標準偏差σとの和に基づいて閾値Ｓを設定することで、補正蛍光画像に観察距離や観察角度に対する誤差要因が残存している場合でも、鮮明な補正蛍光画像を常時取得することができる。また、補正蛍光画像における画素ごとの階調値にばらつきがある場合であっても、平均階調値だけに基づいて閾値を設定する場合と比較してより精度が高い閾値を設定することができる。
【００７１】
ここで、本変形例の比較例について以下に説明する。
例えば、各画素の階調値の平均値が３０％変動し、バックグラウンドの平均階調値ｍ１＝７００、その標準偏差σ１＝２６５、病変部の平均階調値ｍ２＝１４００、その標準偏差σ２＝３７４になったと仮定する。この場合、比較例として、画像全体の平均階調値ｍだけに基づいて閾値Ｓを算出すると、閾値Ｓ＝１１０３となり、バックグラウンドの表示の９３％が消去されるが、病変部の表示の７８％が残されるに留まる。
【００７２】
一方、本変形例のように画像全体の平均階調値ｍと標準偏差σとの和に基づいて閾値Ｓを算出すると、閾値Ｓ＝１０４６となり、バックグラウンドの表示の９０％が消去され、病変部の表示の８３％が残される。したがって、病変部の表示をより多く残存させるような閾値を設定することができ、特異度よりも感度を優先する際に特に有効となる。
【００７３】
上記一実施形態および本変形例においては次フレームの補正蛍光画像ごとに閾値Ｓを設定することとしたが、第２の変形例としては、次フレームの各画素の階調値の平均値が一定の割合を超えて変動した場合に閾値を設定することとしてもよい。この場合、図８のフローチャートに示されるように、閾値設定部４５において、補正蛍光画像における階調値の閾値Ｓを設定するとともに、このときの画像全体の平均階調値ｍを記憶しておき（ステップＳＢ３´）、ステップＳＢ４，ステップＳＢ５により新たな補正蛍光画像を表示する。
【００７４】
次に、閾値設定部４５において、次フレームの補正蛍光画像を取得したら（ステップＳＢ６）、その画像全体の平均階調値ｍを算出し（ステップＳＢ７）、記憶しておいた前フレームの画像全体の平均階調値ｍと比較する（ステップＳＢ８）。
【００７５】
その結果、例えば、次フレームの画像全体の平均階調値ｍが前フレームの画像全体の平均階調値ｍの１．２倍以上または０．８倍以下の場合には、ステップＳＢ２〜ステップＳＢ８が繰り返される。これにより、次フレームの画像全体の標準偏差σが算出され（ステップＳＢ２）、新たな閾値Ｓが設定されるとともに新たな平均階調値ｍが記憶される（ステップＳＢ３´）。
【００７６】
一方、ステップＳＢ８において、次フレームの画像全体の平均階調値ｍが前フレームの画像全体の平均階調値ｍの０．８倍以上１．２倍以下の場合には、閾値は変更せずに次フレームの補正蛍光画像を調整して表示し（ステップＳＢ９）、ステップＳＢ６に戻る。
【００７７】
観察条件が比較的安定している状態では各画素の階調値の平均値および標準偏差は大きく変動しないため、補正蛍光画像を生成するごとに閾値Ｓを設定し直さないでも鮮明度が安定した補正蛍光画像を取得することができる。また、各画素の階調値の平均値が大きく変動しない限り閾値Ｓを維持することで、標準偏差σの計算量を低減し処理速度の向上を図ることができる。
【００７８】
第３の変形例としては、図９に示すように、蛍光内視鏡装置２００が、閾値の変更指令を入力するための閾値変更指令部２６１を備え、術者が閾値変更指令部２６１を作動させることにより手動で閾値を変更することができることとしてもよい。このようにすることで、次フレームの補正蛍光画像を生成するごとに常に閾値を設定するのではなく、観察中に閾値が適切でなくなったと術者が判断したときに補正蛍光画像を調整することができる。
【００７９】
この場合、図１０のフローチャートに示されるように、閾値設定部４５に次フレームの補正蛍光画像が取得された後（ステップＳＢ６）、術者から閾値変更指令部２６１に変更指令が入力された場合は（ステップＳＣ７「ＹＥＳ」）、ステップＳＢ２〜ステップＳＣ７が繰り返されることとすればよい。これにより、閾値設定部４５が作動させられ、次フレームの画像全体の平均階調値ｍと標準偏差σとの和に基づいて閾値Ｓが設定される（ステップＳＢ３）。
【００８０】
一方、術者から閾値変更指令部２６１に変更指令が入力されない場合は（ステップＳＣ７「ＮＯ」）、画像調整部５１により現在の閾値Ｓに基づいてその補正蛍光画像の階調値が調整され（ステップＳＣ８）、ステップＳＢ６に戻ることとすればよい。
【００８１】
第４の変形例としては、次フレームの補正蛍光画像が生成されるごとに常に閾値を設定するのではなく、数フレーム間隔で閾値を設定することとしてもよい。この場合、例えば、スコープ２には閾値を変更する頻度に関する情報ｎが個別に決められていることとし、蛍光内視鏡装置１００が、接続されたスコープ２の情報ｎを読み出すスコープ情報読み出し部（図略）を備え、読み出された情報ｎに基づいて閾値設定部４５により閾値が変更されることとすればよい。情報ｎは、例えば、フレーム数ｉがｎ枚目に達したら１度閾値を変更することを意味するものとすればよい。
【００８２】
この場合、図１１のフローチャートに示されるように、ステップＳＢ６において閾値設定部４５に取得された次フレームの枚数ｉがｎ枚目に達すると（ステップＳＤ７「ＹＥＳ」）、枚数ｉがリセットされて（ステップＳＤ８）、ステップＳＢ２〜ステップＳＤ７が繰り返されることとすればよい。これにより、次フレームの画像全体の平均階調値ｍと標準偏差σとの和に基づいて閾値Ｓが設定される（ステップＳＢ２，ステップＳＢ３）。
【００８３】
一方、次フレームの枚数ｉがｎ枚目に達していない場合は（ステップＳＤ７「ＮＯ」）、枚数ｉに１が加算された後（ステップＳＤ９）、画像調整部５１により現在の閾値Ｓに基づいてその補正蛍光画像の階調値が調整され（ステップＳＤ１０）、ステップＳＢ６に戻ることとすればよい。
【００８４】
このようにすることで、画像全体の平均階調値ｍおよび標準偏差σを計算する回数を低減し、処理の迅速化を図ることができる。例えば、胃のように伸縮に応じて観察距離が大きく変動するような観察条件では比較的頻繁に閾値Ｓを設定し直した方がいいが、大腸のように管腔の径がある程度決まっており観察距離が比較的一定の観察条件では閾値Ｓの設定し直しの頻度を低くしてもよい。
【００８５】
上記各変形例においては、画像全体の平均階調値ｍと標準偏差σとの和に基づいて閾値Ｓを設定することとしたが、例えば、第５の変形例としては、閾値設定部４５が、以下の計算式（５）に示されるように、それぞれ所定の係数ａ，ｂ（第１の係数，第２の係数）を乗算した画像全体の平均階調値ｍと標準偏差σとの和に基づいて閾値Ｓを設定することとしてもよい。
【００８６】
【数５】
2011111619.tif 000007
また、係数ａ，ｂは、想定される補正蛍光画像における病変部の占める割合が増加すると減少するように設定することとすればよい。
【００８７】
この場合、図１２のフローチャートに示されるように、まず、閾値設定部４５において、上述した計算式（５）の係数ａ，ｂが設定される（ステップＳＥ１）。
以下、係数ａ，ｂの設定の仕方について例示する。
係数ａ，ｂは、例えば、想定されるバックグラウンドの平均階調値ｍ１および病変部の平均階調値ｍ２と、想定されるバックグラウンドの総画素数ｎ１および病変部の総画素数ｎ２を基に決定される。
【００８８】
ここで、補正蛍光画像の全画素数を１００万画素、バックグラウンドの平均階調値ｍ１＝１０００、標準偏差σ１，σ２は理想的な値（平均階調値の平方根）の１０倍あると仮定する。そして、病変部の平均階調値ｍ２＝１５００，２０００，２５００，３０００の場合について、表１に示すようにバックグラウンドの消去率および病変部の残存率の要求値を設定する。
【００８９】
【表１】
2011111619.tif 000008
【００９０】
まず、バックグラウンドの表示の消去率から閾値を設定し、この閾値での病変部の表示の残存率の要求値を設定する。表１において、病変部の平均階調値ｍ２が大きいほどバックグラウンドの表示の消去率および病変部の表示の残存率の要求値を高く設定することができる。
【００９１】
ここで、係数ｂ＝１とした場合、表２に示す病変部の平均階調値ｍ２とその総画素数ｎ２との関係に基づいて係数ａを設定することができる。表２において、病変部の総画素数ｎ２が増加するほど係数ａの値が小さくなることが分かる。
【００９２】
【表２】
2011111619.tif 000009
【００９３】
例えば、大腸ポリープのような比較的大きな隆起型病変等を観察する場合、補正蛍光画像上の広範囲を病変部が占めることとなり、病変部の総画素数が増加すると想定することができる。そこで、バックグラウンドの総画素数ｎ１＝７００，０００、病変部の総画素数ｎ２＝３００，０００と仮定し、表２に基づいて係数ａ＝０．７０、係数ｂ＝１．０と設定することができる。
【００９４】
続いて、閾値設定部４５において、補正蛍光画像が取得されると（ステップＳＥ２）、計算式（２），（４）により、その画像全体の平均階調値ｍ＝１３００、その標準偏差σ＝５８３が算出される（ステップＳＥ３）。閾値設定部４５において、係数ａ＝０．７および係数ｂ＝１と画像全体の平均階調値ｍおよびその標準偏差σを用いて、計算式（３）により閾値Ｓ＝１４９３が算出されて設定される（ステップＳＥ４）。
【００９５】
画像調整部５１においては、閾値Ｓ＝１４９３に基づいて補正蛍光画像の階調値が調整され（ステップＳＥ５）、バックグラウンドの表示の９４．１％が消去されて、病変部の表示の８７．１％が残された新たな補正蛍光画像がモニタ５０に表示される（ステップＳＥ６）。
【００９６】
このようにすることで、補正蛍光画像中に占める階調値が高い画素の領域の割合に基づいて、閾値Ｓの最低値および最高値を制限することができる。したがって、病変部が補正蛍光画像の広範囲を占めることにより階調値の平均値が増大する場合であっても閾値Ｓが高くなりすぎるのを防ぎ、病変部の表示が抑制されてしまうのを防止することができる。一方、階調値の低い領域が補正蛍光画像の広範囲を占めることにより階調値の平均値が低減する場合であっても閾値Ｓが低くなりすぎるのを防ぎ、バックグラウンドの表示が強調されてしまうのを防止することができる。
【００９７】
ここで、本変形例の比較例として、例えば、病変部の占める割合が増加して階調値の平均値が増大した場合に係数ａ＝ｂ＝１と設定したのでは、閾値Ｓ＝ｍ＋σ＝１３００＋５８３＝１８８３となる。この結果、閾値Ｓが高くなりすぎ、病変部の表示の６０．３％しか残されないこととなる。
【００９８】
本変形例においては、係数ｂ＝１としたが、これに代えて、係数ａ＝１とし、表３に基づいて係数ｂを設定することとしてもよい。このようにすることで、補正蛍光画像中に占める階調値が高い画素の領域の割合に基づいて、閾値Ｓの最低値および最高値を制限することができる。したがって、病変部が補正蛍光画像の広範囲を占めることにより階調値の標準偏差が増大する場合であっても閾値Ｓが高くなりすぎるのを防ぎ、病変部の表示が抑制されてしまうのを防止することができる。一方、階調値の低い領域が補正蛍光画像の広範囲を占めることにより階調値の標準偏差が低減する場合であっても閾値Ｓが低くなりすぎるのを防ぎ、バックグラウンドの表示が強調されてしまうのを防止することができる。
【００９９】
【表３】
2011111619.tif 000010
【０１００】
係数ｂ＝０とした場合、すなわち、閾値Ｓ＝ａｍと設定した場合においても、表４に示す病変部の総画素数ｎ２と平均階調値ｍ２との関係に基づいて係数ａを設定することとしてもよい。
本変形例においては、例えば、図９に示す蛍光内視鏡装置２００のように、閾値変更指令部２６１により、術者が観察状況に応じて手動で閾値を変更することとしてもよい。このようにすることで、観察中に大きさが異なる病変を見つけたような場合に有効となる。
【０１０１】
【表４】
2011111619.tif 000011
【０１０２】
本変形例においては、１組の係数ａ，ｂを設定することとしたが、例えば、第６の変形例としては、複数組の係数ａ，ｂを設定し、観察対象の形状に応じて係数ａ，ｂを選択可能にしてもよい。この場合、例えば、図１３に示すように、隆起していない形状の通常の病変を観察する場合と隆起型病変を観察する場合の２組の係数ａ，ｂを設定してモニタ５０に表示することとすればよい。図１４に示すように、これら２組の係数ａ，ｂを切り替える係数切り替え部２６３をスコープ２に設けることとすればよい。複数組の係数ａ，ｂは、それぞれ想定される病変の大きさや形状に応じて表１〜３を用いて設定しておくこととすればよい。
【０１０３】
第７の変形例としては、図１５に示すように、蛍光内視鏡装置３００が、蛍光薬剤の情報とこれに対応する階調値の情報を記憶する薬剤情報記憶部３７１と、使用する蛍光薬剤の情報を術者が薬剤情報記憶部３７１から選択して閾値設定部４５に入力する薬剤情報入力部３７３とを備え、閾値設定部４５により入力された蛍光薬剤の情報に基づいて係数ａ，ｂが選択されることとしてもよい。使用する蛍光薬剤が異なればコントラストも変わるため、蛍光薬剤の種類に応じて係数ａ，ｂを選択可能にすることで、より鮮明な補正蛍光画像を取得することができる。この場合も、上記表１〜３を用いて係数ａ，ｂを設定しておくこととすればよい。
【０１０４】
第８の変形例としては、図１６に示すように、蛍光内視鏡装置４００が、スコープ情報を記憶するＩＣチップ４８１を有する挿脱可能なスコープ４０２を備え、光源１０がＩＣチップ４８１に記憶されているスコープ情報を判別するスコープ判別部４８３を備えることとしてもよい。スコープ情報としては、ライトガイドファイバ２１および拡散レンズ２３により構成される照射部の数や、この照射部と対物レンズ３１により構成される受光部との観察角度等が挙げられる。
【０１０５】
この場合、スコープ４０２が光源１０に接続されると、スコープ判別部４８３によりＩＣチップ４８１に記憶されているスコープ情報を読み出して閾値設定部４５に送り、スコープ情報に基づいて係数ａ，ｂを選択することとすればよい。スコープ４０２の種類によって観察倍率等が相違することより、同一の病変部を観察してもバックグラウンドの総画素数ｎ１および病変部の総画素数ｎ２が変わってくる。このようにすることで、仕様や用途が異なる様々なスコープに対応して閾値を設定することができる。この場合においても、上記表１〜３を用いて係数ａ，ｂを設定しておくこととすればよい。
【０１０６】
第９の変形例としては、図１７に示すように、白色光画像に補正蛍光画像との合成画像を生成する画像合成部５９１を設け、生成された合成画像をモニタ５５０に表示してもよい。
このようにすることで、白色光画像と補正蛍光画像の位置関係をより明瞭に術者に提供することができる。閾値以下の領域を階調値０として表示しているため、両画像が重畳された合成画像においても、病変部以外の領域において、白色光画像の表示が補正蛍光画像によって阻害されずに済む。
【０１０７】
本変形例においても、白色光画像を参照画像として用いたが、たとえば、白色光画像をＲＧＢの３チャネルからなるＣＣＤもしくはＣＭＯＳ（白色光画像取得部）を用いて取得し、たとえば、Ｒチャネルのみを参照画像として用いるなどの方法をとってもよい。
もしくは、白色光とは別の波長帯域、たとえば赤や近赤外の光を別途参照光として照射し、白色光画像と別に参照画像を取得するという方法でもよい。
【０１０８】
以上、本発明の実施形態について図面を参照して詳述してきたが、具体的な構成はこの実施形態に限られるものではなく、本発明の要旨を逸脱しない範囲の設計変更等も含まれる。例えば、本発明を上記の一実施形態および変形例に適用したものに限定されることなく、これらの実施形態および変形例を適宜組み合わせた実施形態に適用してもよく、特に限定されるものではない。
また、上記実施形態および変形例においては、画像調整部５１が、バックグラウンドの蛍光の表示を消去し、病変部の表示を残すこととしたが、病変部からの蛍光とバックグラウンドからの蛍光とのコントラストを拡大させればよく、例えば、バックグラウンドの表示を消去しない程度にその画素の階調値を下げたり、病変部を表示する画素の階調値を高くしたりすることとしてもよい。
【符号の説明】
【０１０９】
１０    光源
４１    画像生成部（蛍光画像取得部、参照画像取得部）
４３    画像補正部（補正蛍光画像生成部）
４５    閾値設定部
５０    モニタ（表示部）
５１    画像調整部
１００  蛍光内視鏡装置
【図１】
2011111619.tif 000012
【図２Ａ】
2011111619.tif 000013
【図２Ｂ】
2011111619.tif 000014
【図３】
2011111619.tif 000015
【図４Ａ】
2011111619.tif 000016
【図４Ｂ】
2011111619.tif 000017
【図５Ａ】
2011111619.tif 000018
【図５Ｂ】
2011111619.tif 000019
【図６Ａ】
2011111619.tif 000020
【図６Ｂ】
2011111619.tif 000021
【図７】
2011111619.tif 000022
【図８】
2011111619.tif 000023
【図９】
2011111619.tif 000024
【図１０】
2011111619.tif 000025
【図１１】
2011111619.tif 000026
【図１２】
2011111619.tif 000027
【図１３】
2011111619.tif 000028
【図１４】
2011111619.tif 000029
【図１５】
2011111619.tif 000030
【図１６】
2011111619.tif 000031
【図１７】
2011111619.tif 000032
【国際調査報告】
2011111619.tif 000033
2011111619.tif 000034
2011111619.tif 000035
2011111619.tif 000036